(57)【要約】      （修正有）【課題】接着剤等により取付部材に固定される分割プリント基板の位置決めを正確に行うことが出来るプリント基板の位置決め構造を提供すること。【解決手段】電子部品の実装後、分割位置よりダミー部を分割除去してなる分割プリント基板１を、取付部材１１に接着剤により取り付ける位置決め構造において、前記分割プリント基板１には、前記分割位置よりも前記ダミー部側に突出する位置決め部９がプレス加工により形成され、前記位置決め部９は、その外周面が前記取付部材１１に設けられた当接部１２に当接することにより位置決めできる構造とされている。【選択図】図２
2009010034.tif 000002
【特許請求の範囲】
【請求項１】
電子部品の実装後、分割位置よりダミー部を分割除去してなる分割プリント基板を、取付部材に接着剤により取り付ける位置決め構造において、
前記分割プリント基板には、前記分割位置よりも前記ダミー部側に突出する位置決め部がプレス加工により形成され、
前記位置決め部は、その外周面が前記取付部材に設けられた当接部に当接することにより位置決めできる構造とされているプリント基板の位置決め構造。
【請求項２】
前記位置決め部は、分割プリント基板の幅方向中央部に設けられている請求項１記載のプリント基板の位置決め構造。
【請求項３】
前記位置決め部は、分割プリント基板の幅方向両側に設けられている請求項１記載のプリント基板の位置決め構造。
【請求項４】
前記分割位置には、分割用Ｖ溝又は分割用スリットが形成されている請求項１〜３の何れか一つに記載のプリント基板の位置決め構造。
【請求項５】
前記分割プリント基板は、光ピックアップ装置におけるフォトディテクタ用基板である請求項１〜４の何れか一つに記載のプリント基板の位置決め構造。
【発明の詳細な説明】
【技術分野】
【０００１】
本発明は、プリント基板の位置決め構造に関する。
【背景技術】
【０００２】
一枚のプリント基板原反から複数のプリント基板に分割して得られる分割プリント基板は公知である。この分割プリント基板は、一枚のプリント基板原反の周囲に設けられるダミー部と、その内部に設けられる複数の製品部とが、分割位置において区画され、前記製品部に各種電子部品を実装後、前記分割位置から前記製品部を分割して得られるものである。
【０００３】
前記製品部への電子部品の装着の際の位置決めについては、例えば、特許文献１や特許文献２に記載のように各種の技術が提案されている。
【０００４】
そして、これら分割プリント基板は小さいものであるので、取付部材に取り付ける際は、筺体に保持されるものであった(例えば、特許文献３、４参照）。
【０００５】
なお、大きなプリント基板を取付部材に取り付けるときの位置決めについては、例えば、特許文献５に記載の技術が公知である。
【０００６】
この特許文献５に記載のものは、電子機器の合成樹脂製のベースにプリント基板を取り付けるプリント基板固定機構において、前記ベースに一体成形され前記プリント基板の少なくとも対角の２隅をねじ止めするねじ座と、このねじ座に一体成形されて突設され前記プリント基板の前記隅の２辺端面に当接してプリント基板を位置決めする突起部とを具備したものであった。
【特許文献１】実開平７−２９８６６号公報
【特許文献２】特開２００１−７４５４号公報
【特許文献３】実開昭５８−１４２９８９号公報
【特許文献４】特開平９−９７９８６号公報
【特許文献５】特開２０００−３４０９７１号公報
【発明の開示】
【発明が解決しようとする課題】
【０００７】
前記特許文献５に記載の大きなプリント基板の位置決め構造は、「ねじ」によりプリント基板を取付部材(ベース)に取り付けるものであった。
【０００８】
しかし、小さな分割プリント基板においては、ねじ止めすることが出来ず、従来は、特許文献３、４に示すように筺体を介して取付部材に固定されるものであった。筺体に保持するものでは、筺体が必要になり、組み立てコストがかかるものである。
【０００９】
そこで、小さな分割プリント基板を接着剤等により直接、取付部材に固定することが考えられる。
【００１０】
しかし、接着剤等で固定する場合、取付部材に対する分割プリント基板の位置合わせが正確に行えないという問題があった。
【００１１】
すなわち、ＤＶＤ（Digital Versatile Disc）装置などの光ピックアップ装置においては、フォトディテクタ用基板（分割プリント基板）に設けられた実装部品が光を受光しなければならないので、当該分割プリント基板と取付部材とは、正確な位置決めが要求される。しかし、接着剤等で固定する場合は、正確な位置決め作業が困難になる。
【００１２】
そこで、本発明は、接着剤等により取付部材に固定される分割プリント基板の位置決めを正確に行うことが出来るプリント基板の位置決め構造を提供することを目的とする。
【課題を解決するための手段】
【００１３】
前記目的を達成するため、本発明は、次の手段を講じた。即ち、本発明の特徴とするところは、電子部品の実装後、分割位置よりダミー部を分割除去してなる分割プリント基板を、取付部材に接着剤により取り付ける位置決め構造において、前記分割プリント基板には、前記分割位置よりも前記ダミー部側に突出する位置決め部がプレス加工により形成され、前記位置決め部は、その外周面が前記取付部材に設けられた当接部に当接することにより位置決めできる構造とされている点にある。
【００１４】
前記位置決め部は、分割プリント基板の幅方向中央部に設けられているのが好ましい。
また前記位置決め部は、分割プリント基板の幅方向両側に設けることもできる。
【００１５】
前記分割位置には、分割用Ｖ溝又は分割用スリットが形成されているのが好ましい。
前記分割プリント基板は、光ピックアップ装置におけるフォトディテクタ用基板であるのが好ましい。
【発明の効果】
【００１６】
本発明によれば、分割プリント基板には、分割位置よりもダミー部側に突出する位置決め部がプレス加工により形成され、前記位置決め部は、その外周面が取付部材に設けられた当接部に当接することにより位置決めできる構造とされているので、接着剤による固定にかかわらず、取付部材に対する位置決めが正確で且つ容易になる。
【発明を実施するための最良の形態】
【００１７】
以下、本発明の実施の形態を図面に基づき説明する。
図１および図２において、分割プリント基板１は、一枚のプリント基板原反２より分割されたものである。プリント基板原反２は、矩形状の板材である。プリント基板原反２の外周部に帯状の外周ダミー部３が形成され、左右方向中央部に上下方向に沿って帯状の中央ダミー部３が形成されている。これらダミー部３に囲われた内側に複数の製品部４が形成されている。この実施の形態では、３種類の製品部４が横一列に連続して配置されている。前記横一列の製品部４は、上下方向に対して複数行にわたって配置されている。
【００１８】
ダミー部３と製品部４、および、左右に隣接する製品部４，４同士の間が分割位置５とされており、この分割位置５に上下方向に沿って分割用Ｖ溝６が形成されている。また、上下方向に配置された製品部の間は、プレス加工により打ち抜かれて空間７が形成されている。
【００１９】
前記プレス加工の際、前記分割位置５にスリット８が形成され、該スリット８により前記分割用Ｖ溝６は分断されている。なお、前記プレス加工後、Ｖ溝加工６が行われる。
【００２０】
中央ダミー部３に隣接する製品部４が、本発明の対象とする分割プリント基板１になるものである。この分割プリント基板１には、前記分割位置５よりも前記ダミー部３側に突出する位置決め部９が前記プレス加工により形成されている。
【００２１】
前記位置決め部９は、分割プリント基板１の幅方向(図１の上下方向）中央部に設けられている。
【００２２】
前記ダミー部３には、位置決め孔１０が設けられている。この位置決め孔１０は、前記プレス加工用の位置決めとして用いられ、また、前記製品部４に電子部品を実装するときの位置決めとして使用されるものである。
【００２３】
前記製品部４に電子部品を実装後、分割位置５よりダミー部３を分割除去して、前記分割プリント基板１が取り出される。即ち、分割プリント基板１は、分割用Ｖ溝６から破断されて分割される。
【００２４】
破断されるものであるから、その分割位置５は実装電子部品に対して常に正確なものではない。しかし、前記位置決め部９は、プレス加工により形成されているので、実装電子部品に対して常に正確な位置を保っている。
【００２５】
図２に示すように、分割プリント基板１の前記位置決め部９は、その外周面が取付部材１１に設けられた当接部１２に当接することにより位置決めできる構造とされている。分割プリント基板１は、前記取付部材１１に接着剤により取り付けられる。
【００２６】
図３および図４に示すものは、本発明の他に実施の形態であり、前記位置決め部９が、分割プリント基板１の幅方向(図３の上下方向）両側に設けられている。
【００２７】
両側の二箇所に位置決め部９を設けることにより、図４に示す如く、取付部材１１の当接部１２に対して安定よく位置決めが行える。
【実施例】
【００２８】
図５〜図８に示すものは、本発明の実施例であり、ＤＶＤ装置の光ピックアップ装置に本件発明を適用したものである。前記分割プリント基板は、ＤＶＤ装置の光ピックアップ装置におけるフォトディテクタ用基板とされている。
【００２９】
図５に示すように、ＣＤ（Compact Disc）装置あるいはＤＶＤ装置などの光ディスク装置１３には、光ディスク１４に記録された情報を読み取ったり、光ディスク１４に情報を書き込んだりするための光ピックアップ装置１５が配設されている。その光ピックアップ装置１５では、一連の光学系部品が所定のベース部材１６に搭載されている。そのベース部材１６はガイドレール１７に取付けられて、光ディスク１４の径方向（矢印１８）にスライド可能とされる。
【００３０】
図６に示すように、ベース部材１６に搭載される光学系部品には、レーザダイオードなどの発光素子１９、その発光素子１９から発せられた光を光ディスク１４にまで導くミラー２０およびレンズ２１、光ディスク１４に照射されて反射した光を受光するフォトダイオードなどの受光素子２２、および、発光素子１９からの光を受光するフォトディテクタ２３等が含まれる。
【００３１】
前記フォトディテクタ２３が前記分割プリント基板１に実装されている。
前記光学系部品が搭載されるベース部材１６についてさらに詳しく説明する。
【００３２】
図７に示すように、ベース部材１６は、ベース本体２４、第１軸受部２５および第２軸受部２６を備えて構成される。ベース本体２４に光学系部品（図６参照）が搭載される。第１軸受部２５はベース本体２４の一端側に形成されている。第２軸受部２６はベース本体２４の他端側に形成されている。ベース部材１６のスライド動作を案内するガイドレール１７として、互いに平行に延在する主軸１７ａと副軸１７ｂとがあり、第１軸受２５は主軸１７ａに軸支され、第２軸受部２６は副軸１７ｂに軸支される。
【００３３】
第１軸受部２５は、主軸１７ａに対する位置精度を確保するために筒状に形成されている。第２軸受部２６は、副軸１７ｂにそれぞれ接触する副軸受第１部２６ａと副軸受第２部２６ｂから構成される。副軸受第１部２６ａと副軸受第２部２６ｂは、ベース本体２４の他端側にベース本体２４から突出し、先端が開放される態様で繋がらないように形成されている。副軸第１部２６ａは光ディスク１４の側から副軸１７ｂにスライド可能に接触し、副軸第２部２６ｂは光ディスク１４とは反対の側から副軸１７ｂにスライド可能に接触している。
【００３４】
こうして、副軸受第１部２６ａが副軸１７ｂに対して一方の側から副軸１７ｂに接触し、副軸受第２部２６ｂが他方の側から副軸１７ｂに接触することで、ベース本体２４のスライド方向と交差する方向の動きが規制されることになる。なお、光学系部品の一部はベース本体２４の裏側にも搭載される。
【００３５】
図８に示すように、ベース部材１６を裏側から見たとき、その側面に、前記フォトディテクタ用分割基板１が接着剤で固定されている。取付部材１１であるベース本体２４の側面に、当接部１２が設けられている。この当接部１２は、ベース本体２４の側面からリブ状に突出している。この当接部１２に、前記分割プリント基板１の位置決め部９の外周面が当接することにより、当該分割プリント基板１とベース本体２４に対する位置決めが行われる。
【００３６】
今回開示された実施の形態や実施例は例示であってこれに制限されるものではない。本発明は上記で説明した範囲ではなく、特許請求の範囲によって示され、特許請求の範囲と均等の意味および範囲でのすべての変更が含まれることが意図される。例えば、前記実施の形態では、分割位置にＶ溝を設けたものを例示したが、プレス加工によるスリットを設けたものであっても良い。
【図面の簡単な説明】
【００３７】
【図１】プリント基板原反を示す平面図である。
【図２】本発明の位置決め構造を示す説明図である。
【図３】本発明の他の実施の形態を示し、プリント基板原反の一部分を示す平面図である。
【図４】本発明の他の実施の形態の位置決め構造を示す説明図である。
【図５】本発明の実施例に係る光ピックアップ装置を適用したＤＶＤ装置を示す斜視図である。
【図６】同実施例において、光ピックアップ装置における光学系を説明するための図である。
【図７】同実施例の斜視図である。
【図８】同実施例において、ベース部材(取付部材)と分割プリント基板の位置決め構造を示す斜視図である。
【符号の説明】
【００３８】
１  分割プリント基板、３  ダミー部、５  分割位置、９  位置決め部、１１  取付部材、１２  当接部。
【図１】
2009010034.tif 000003
【図２】
2009010034.tif 000004
【図３】
2009010034.tif 000005
【図４】
2009010034.tif 000006
【図５】
2009010034.tif 000007
【図６】
2009010034.tif 000008
【図７】
2009010034.tif 000009
【図８】
2009010034.tif 000010